(57)【要約】【課題】  清掃が容易なペット用キャリーバックを提供すること。【解決手段】  バッグ本体２の底壁１ｅの内面、および側壁１ａ，１ｂの内面を覆う内部シート２２を、バッグ本体２に着脱自在に取付けたペット用キャリーバック１とした。【選択図】        図４
0003104002.tif 000002
【実用新案登録請求の範囲】
【請求項１】
バッグ本体の底壁内面および側壁内面を覆う内部シートを、バッグ本体に着脱自在に取付けるようにしたことを特徴とするペット用キャリーバッグ。
【請求項２】
前記内部シートを面ファスナーによって前記バッグ本体に取付けるようにしたことを特徴とする、請求項１に記載のペット用キャリーバッグ。
【請求項３】
前記バッグ本体の底壁の大きさにほぼ対応し、前記内部シートを装着した状態で、シートの底部に敷く敷板を備えたことを特徴とする、請求項１または２に記載のペット用キャリーバッグ。
【請求項４】
前記バッグ本体にペットの頭部を通す開口を形成するとともに、該開口の周縁にペットの頭部を通す孔を有し、かつペットの首を覆うフードを着脱自在に取付けるようにしたことを特徴とする、請求項１〜３のいずれかに記載のペット用キャリーバッグ。
【請求項５】
中央部に、ペットの頭部を通す開口を有する板状体を備え、かつ板状体に前記フードを取付けるとともに、前記バッグ本体の開口の周縁に前記板状体を着脱自在に取付けるようにしたことを特徴とする、請求項４に記載のペット用キャリーバッグ。
【請求項６】
前記フードの孔の周縁に紐を周設し、該紐の端部を引っ張ることによって、前記孔を縮小させるようにしたことを特徴とする、請求項４または５に記載のベット用キャリーバッグ。
【請求項７】
前記ペットの頭部を通す開口を前記バッグ本体の端壁に形成したことを特徴とする、請求項４〜６のいずれかに記載のペット用キャリーバッグ。
【請求項８】
前記バッグ本体の開口を覆うように、カバーの一端をバッグ本体に取付けるとともに、該カバーの他端をバッグ本体に着脱自在に取付けたことを特徴とする、請求項４〜７のいずれかに記載のペット用キャリーバッグ。
【請求項９】
前記バッグ本体の上壁にペット出し入れ用開口を形成するとともに、該ペット出し入れ用開口を覆うように、ネットを着脱自在に配設したことを特徴とする、請求項１〜８のいずれかに記載のペット用キャリーバッグ。
【請求項１０】
前記ネットを覆うように、蓋の一端をバッグ本体に取付けるとともに、該蓋の他端をバッグ本体に着脱自在に取り付けたことを特徴とする、請求項９に記載のペット用キャリーバッグ。
【考案の詳細な説明】
【技術分野】
【０００１】
本考案は、ペット用キャリーバッグに関するものである。
【背景技術】
【０００２】
ペットを持ち運ぶためのペット用キャリーバッグはある（例えば、特許文献１または特許文献２）。
これらのペット用キャリーバッグは、ボストンバッグ状を成し、上部開口からペットを入れ、ペット全体をバッグ内に収容したり、頭部を露出させた状態でバッグに収容させるものである。
【０００３】
【特許文献１】実開平６−１９４４９号公報
【特許文献２】実用新案登録第３０９５８９６号公報
【考案の開示】
【考案が解決しようとする課題】
【０００４】
ところで、ペット用キャリーバッグは、特に内部が汚れ易く、頻繁に清掃する必要があるが、その清掃は極めて煩雑で、困難なものとなる。
【０００５】
本考案は、上記実情に鑑みて成されたものであって、清掃が容易なペット用キャリーバッグを提供することを目的とする。
【課題を解決するための手段】
【０００６】
上記した課題を解決するため、請求項１のペット用キャリーバッグでは、バッグ本体の底壁内面および側壁内面を覆う内部シートを、バッグ本体に着脱自在に取付けるようにしている。
【０００７】
請求項２のペット用キャリーバッグでは、上記請求項１の考案において、前記内部シートを面ファスナーによって前記バッグ本体に取付けるようにしている。
【０００８】
請求項３のペット用キャリーバッグでは、上記請求項１または２の考案において、前記バッグ本体の底壁の大きさにほぼ対応し、前記内部シートを装着した状態で、シートの底部に敷く敷板を備えている。
【０００９】
請求項４のペット用キャリーバッグでは、上記請求項１〜３のいずれかの考案において、前記バッグ本体にペットの頭部を通す開口を形成するとともに、該開口の周縁に、ペットの頭部を通す孔を有し、かつペットの首を覆うフードを着脱自在に取付けるようにしている。
【００１０】
請求項５のペット用キャリーバッグでは、上記請求項４の考案において、中央部に、ペットの頭部を通す開口を有する板状体を備え、かつ板状体に前記フードを取付けるとともに、前記バッグ本体の開口の周縁に前記板状体を着脱自在に取付けるようにしている。
【００１１】
請求項６のペット用キャリーバッグでは、上記請求項５の考案において、前記フードの孔の周縁に紐を周設し、該紐の端部を引っ張ることによって、前記孔を縮小させるようにしている。
【００１２】
請求項７のペット用キャリーバッグでは、上記請求項４〜６のいずれかの考案において、前記ペットの頭部を通す開口を、前記バッグ本体の端壁に形成している。
【００１３】
請求項８のペット用キャリーバッグでは、上記請求項４〜７のいずれかの考案において、前記バッグ本体の開口を覆うように、カバーの一端をバッグ本体に取付けるとともに、該カバーの他端をバッグ本体に着脱自在に取付けるようにしている。
【００１４】
請求項９のペット用キャリーバッグでは、上記請求項１〜８いずれかの考案において、前記バッグ本体の上壁にペット出し入れ用開口を形成するとともに、該ペット出し入れ用開口を覆うようにネットを着脱自在に配設している。
【００１５】
請求項１０のペット用キャリーバッグでは、上記請求項９の考案において、前記ネットを覆うように蓋の一端をバッグ本体に取付けるとともに、該蓋の他端をバッグ本体に着脱自在に取り付けている。
【考案の効果】
【００１６】
上記した請求項１の本考案に係るペット用キャリーバッグによれば、内部シートをバッグ本体から取外し、内部シートのみを洗浄すればよいので、清掃が容易になる。
【００１７】
上記した請求項２の本考案に係るペット用キャリーバッグによれば、内部シートの取付け手段が面ファスナーなので、内部シートの取付け，取外しが容易になる。
【００１８】
上記した請求項３の本考案に係るペット用キャリーバッグによれば、敷き板によって内部シートがバッグ本体の底壁間に挟み込まれるので、ペットがバッグ本体内で動いても、安定して位置される。
【００１９】
上記した請求項４の本考案に係るペット用キャリーバッグによれば、フードをバッグ本体から取外し、フードのみを洗浄すればよいので、清掃が容易になる。
【００２０】
上記した請求項５の本考案に係るペット用キャリーバッグによれば、板状体と共にフードを取外し，取付けができるので、フードの取付け，取外しが容易になる。
【００２１】
上記した請求項６の本考案に係るペット用キャリーバッグによれば、フードの孔の拡縮を容易に行なうことができ、ペットの頭部を通過させ易いとともに、フードをペットの首にフィットさせることができる。
【００２２】
上記した請求項７の本考案に係るペット用キャリーバッグによれば、ペットの頭部がバッグ本体の端壁から露出されるので、ペットに無理な姿勢を強いる虞がない。
【００２３】
上記した請求項８の本考案に係るペット用キャリーバッグによれば、ペットを外部から完全に隔絶することができる。
【００２４】
上記した請求項９の本考案に係るペット用キャリーバッグによれば、ネットをを介してペットの確認が容易になる。
【００２５】
上記した請求項１０の本考案に係るペット用キャリーバッグによれば、ペットを外部から完全に隔絶することができる。
【考案を実施するための最良の形態】
【００２６】
以下に、上記した本考案に係るペット用キャリーバッグの実施の形態を、図面を参照しながら詳細に説明する。
なお、図１は本考案に係るペット用キャリーバッグの一実施の形態を示した斜視図、図２は図１のペット用キャリーバッグを反対側から示した斜視図である。また、図３はフードを取外した状態のペット用キャリーバッグを示した斜視図、図４はネットを開いた状態のペット用キャリーバッグを示した斜視図、図５は図１におけるＡ−Ａ線に沿う部分の断面図である。
【００２７】
図示したペット用キャリーバッグ１のバッグ本体２は、直方体状に形成され、その両側壁１ａ，１ｂに、通気孔３が形成されており、また、把手４，４が縫合等によって取付けられている。
【００２８】
このバッグ本体２では、上壁１ｃに、ペット出し入れ用開口５が形成され（図４参照）、該開口５を塞ぐように、蓋６の一端が開口周縁の一端に一体的に取付けられ、蓋６の両側および他端が開口５の両側周縁および他端に、ファスナー７によって開閉自在に取付けられている。
【００２９】
また、蓋６には、内側開口８が形成され（図３参照）、該内側開口８の周縁には、ネット９が張設されている。さらに、ネット９を覆うように、上部カバー１０の一端が内側開口周縁の一端に一体的に取付けられ、その上部カバー１０の両側が内側開口８の両側周縁にファスナー１１によって、かつ、上部カバー１０の他端が内側開口周縁の他端に面ファスナー１２によって開閉自在に取付けられている。
【００３０】
また、このバッグ本体２の一端壁１ｄには、ペットの頭部を通過させるに十分な大きさの開口１３が形成されている（図３参照）。そして、この開口周縁には、中央部に開口１４を有する板状体１５が、ホック１６によって着脱自在に取付けられている。この板状体１５の開口周縁には、フード１７の一端周縁部が固着されている。このフード１７の中央部には、ペットの頭部を露出させる頭部露出孔１８が形成されている。この孔１８の周縁には、紐１９が周設されている。
【００３１】
また、バッグ本体２の一端壁１ｄの開口周縁の一端には、板状体１５を覆うように、側部カバー２０の一端が固設され、開口周縁の他端が、ホック２１によって開閉自在に取付けられている。
【００３２】
また、バッグ本体２の側壁１ａ，１ｂの内面には、図５に示したように、底壁１ｅ内面および側壁１ａ，１ｂの内面を覆う内部シート２２が、面ファスナー２３によって着脱自在に取り付けられており、内部シート２２の底面には、敷板２４が載置されている。
なお、図５において、符号２５は底板であり、１ｅは底壁である。
【００３３】
さらに、このバッグ本体２には、側壁１ａの外面および端壁１ｆの外面に、ポケット２６，２７が形成され、把手４には、水筒ホルダー２８が取付け金具２９によって着脱自在に取付けられる。
【００３４】
このように構成された本考案に係るペット用キャリーバッグ１に、ペットを収容する場合は、図４に示した状態、即ち、蓋６を開いた状態で、図５に示したように、内部シート２２をバッグ本体２の側壁１ａ，１ｂに面ファスナー２３によって取付け、板状体１５をバッグ本体２の端壁１ｄにホック１６によって取付けるとともに、図１に示したように、側部カバー２０をバッグ本体２の端壁１ｄにホック２１によって取付ける。
【００３５】
ついで、このバッグ本体２の内部にペットを収容して、蓋６をファスナー７によって閉じる。この状態で、ファスナー１１を操作して、図３に示したように、上部カバー１０を開ければ、ネット９を介して、ペットを確認することができる。
【００３６】
また、ホック２１を取外し、側部カバー２０を開ければ、フード１７の孔１８から、ペットの頭部を外部に露出させることができる。
【００３７】
なお、上記実施の形態では、図２に示したように、バッグ本体２の端壁１ｆにおけるポケット２７の上部にホック３０を配設している。これは、上部カバー１０を開いたときに、該ホック３０に、上部カバーの自由端に設けたホック（図示せず）を結合させることによって、上部カバー１０を纏めるためのものである。
【００３８】
また、図１に示したように、バッグ本体２の端壁１ｄにおける側部カバー２０の下部にホック３１を配設しているが、これは、側部カバー２０を開いたときに、該ホック３１に、側部カバー２０の自由端に設けた（図示せず）ホックを結合させることによって、側部カバー２０を纏めるためのものである。
【００３９】
以上、本考案に係るペット用キャリーバッグの実施の形態を説明したが、本考案は、何ら既述の実施の形態に限定されず、実用新案登録請求の範囲に記載した本考案の技術的思想の範囲内において、種々の変形および変更が可能であることは当然である。
【図面の簡単な説明】
【００４０】
【図１】本考案に係るペット用キャリーバッグの一実施形態を示した斜視図である。
【図２】図１のペット用キャリーバッグを反対側から示した斜視図である。
【図３】フードを取外した状態のペット用キャリーバッグを示した斜視図である。
【図４】ネットを開いた状態のペット用キャリーバッグを示した斜視図である。
【図５】図１におけるＡ−Ａ線に沿う部分の断面図である。
【符号の説明】
【００４１】
１          ペット用キャリーバッグ
１ａ，１ｂ  側壁
１ｃ        上壁
１ｄ，１ｆ  端壁
１ｅ        底壁
２          バッグ本体
３          通気孔
４          把手
５          ペット出し入れ用開口
６          蓋
７          ファスナー
８          内側開口
９          ネット
１０        上部カバー
１１        ファスナー
１２        面ファスナー
１３，１４  開口
１５        板状体
１６        ホック
１７        フード
１８        頭部露出孔
１９        紐
２０        カバー
２１        ホック
２２        内部シート
２３        面ファスナー
２４        敷板
２５        底板
２６，２７  ポケット
２８        水筒ホルダー
２９        取付け金具
３０，３１  ホック
【図１】
0003104002.tif 000003
【図２】
0003104002.tif 000004
【図３】
0003104002.tif 000005
【図４】
0003104002.tif 000006
【図５】
0003104002.tif 000007